(57)【要約】【課題】本発明は、環境にやさしい成形材の製造方法を提供する。【解決手段】籾殻を取得、原料桶に投入し、原料桶に入っている籾殻の高温殺菌、異物除去を行い、乾燥するが、乾燥済み籾殻を、適当な粉末状の籾殻粉末に粉砕し、籾殻粉末に適当な割合で配合したＰＰ粒子、カップリング剤と発泡剤を混合桶に加えたあと、常温で１５〜３０分間ほど均一よく攪拌し、十分に混合粉末に混合するが、混合粉末を取出し、押出機の原料桶に入れ、押出機でプレセット直徑を有する、連続したストリップ状または板状の半製品にして、適当な長さに切断するが、切断済み半製品の圧延を行い、圧延半製品にし、そして圧延半製品を、プレセット成形材に製造するが、プレセット成形材の掃除を行い、加工後の殘さを除去する手順が含まれている。【選択図】図１
2015016646.tif 000002
【特許請求の範囲】
【請求項１】
手順ＳＡ１：  籾殻を主原料として取得し、原料桶へ投入する工程と、
手順ＳＡ２：  該原料桶に入っている籾殻を高温で殺菌し、異物の除去を行い、乾燥させて乾燥済み籾殻にする工程と、
手順ＳＡ３：  該乾燥済み籾殻を、適当な粉末状の籾殻粉末に粉砕する工程と、
手順ＳＡ４：  該籾殻粉末に、適当な割合で配合した、ＰＰ粒子とカップリング剤と発泡剤とを加えて混合桶に投入したあと、常温で約１５〜約３０分間均一に攪拌し、十分に混合して混合粉末にする工程と、
手順ＳＡ５：  該混合粉末を取り出し、押出機の原料桶に入れ、該押出機で、プレセット直径を有する、連続したストリップ状または板状の半製品にして、適当な長さに切断して切断済み半製品にする工程と、  
手順ＳＡ６：  該切断済み半製品の圧延を行い、圧延半製品にする工程と、  
手順ＳＡ７：  該圧延半製品を、プレセット成形材に製造する工程と、
手順ＳＡ８：  該プレセット成形材の掃除を行い、加工後の残りを除去する工程と、
手順ＳＡ９：  掃除及び整理済みの該プレセット成形材の包装を行う工程と、  
を含むことを特徴とする環境にやさしい成形材の製造方法。
【請求項２】
該手順ＳＡ７は、
手順ＳＢ１：  該圧延半製品の急速冷却を行う工程と、
手順ＳＢ２：  急速冷却済み該圧延半製品の熱圧加工及び切断を行う工程と、
手順ＳＢ３：  熱圧加工及び切断済み該圧延半製品の成形を行い、プレセット成形材にする工程と、
を含むことを特徴とする請求項１に記載の環境にやさしい成形材の製造方法。
【請求項３】
該手順ＳＡ７は、
手順ＳＣ１：  該圧延半製品の成形を行い、プレセット形状をしている該圧延半製品にする工程と、
手順ＳＣ２：  成形済み該プレセット形状の該圧延半製品の冷却を行う工程と、
手順ＳＣ３：  急速冷却済みプレセット形状をしている該圧延半製品の熱圧加工及び切断を行い、プレセット成形材にする工程と、  
を含むことを特徴とする請求項１に記載の環境にやさしい成形材の製造方法。
【請求項４】
該手順ＳＡ４における適当な割合とは、籾殻粉末は３３％、ＰＰ粒子は６５％、カップリング剤は１％、及び発泡剤は１％の割合であることを特徴とする請求項１に記載の環境にやさしい成形材の製造方法。  
【請求項５】
該手順ＳＡ５でいう該プレセット直径は、５ｍｍであることを特徴とする請求項１に記載の環境にやさしい成形材の製造方法。
【請求項６】
該手順SA1での主原料は更に、トウモロコシの芯、稲わら、又は麦わら が含まれていることを特徴とする請求項１に記載の環境にやさしい成形材の製造方法。
【発明の詳細な説明】
【技術分野】
【０００１】
本発明は、環境にやさしい成形材の製造方法に関する。
【背景技術】
【０００２】
生活環境が人々によって破壊され、どんどん悪化していく状況に対して、環境保全を唱える人々が多く現れている。民間団体だけでなく、政府側もその問題の持つ重要性をも認識し、環境保全の活動を行っている。ゴミの問題は現在、環境保全で最も重要な問題の一つとして取り扱われ、世界における日々の廃棄物発生量は数千万トンにも達していると言われている。その中、土の中で確実に分解される廃棄物は極僅かな割合を占めるに過ぎず、殆どは石油から作り出された化学製品であり、土の中に数十億年埋められても分解されず、特に膨大な量のあるポリフォーム（ポリエチレン-テレフタレート）製食器は、日常用品として使用されているから、毎日の使い捨ての量は驚くほど多い。ポリフォームは高温で毒性が発生するという欠陥があり、環境を守り、後世の人々に処理できないゴミ問題を残さないように、そのようなプラスチックやポリフォーム製の食器を使用してはならず、環境にやさしい製品が取って代わって使用すべきだと考えられている。
【発明の開示】
【発明が解決しようとする課題】
【０００３】
本発明は、毒性がなく、自動的分解及び回収再利用が可能な環境にやさしい成形材の製造方法を提供することを目的とする。  
【課題を解決するための手段】
【０００４】
本発明の第１の態様に係る環境にやさしい成形材の製造方法は、手順ＳＡ１：  籾殻を主原料として取得し、原料桶へ投入する工程と、手順ＳＡ２：  原料桶に入っている籾殻を高温で殺菌し、異物の除去を行い、乾燥させて乾燥済み籾殻にする工程と、手順ＳＡ３：  乾燥済み籾殻を、適当な粉末状の籾殻粉末に粉砕する工程と、手順ＳＡ４：  籾殻粉末に、適当な割合で配合した、ＰＰ粒子とカップリング剤と発泡剤と加えて混合桶に投入したあと、常温で約１５〜約３０分間均一に攪拌し、十分に混合して混合粉末にする工程と、手順ＳＡ５：  混合粉末を取り出し、押出機の原料桶に入れ、押出機で、プレセット直径を有する、連続したストリップ状または板状の半製品にして、適当な長さに切断して切断済み半製品にする工程と、  手順ＳＡ６：  切断済み半製品の圧延を行い、圧延半製品にする工程と、手順ＳＡ７：  圧延半製品を、プレセット成形材に製造する工程と、手順ＳＡ８：  プレセット成形材の掃除を行い、加工後の残りを除去する工程と、手順ＳＡ９：  掃除及び整理済みのプレセット成形材の包装を行う工程と、を含む。
【図面の簡単な説明】
【０００５】
【図１】本発明の環境にやさしい成形材の製造方法のフローチャートである。
【図２】図１のプレセット成形材製造手順の第一実施例のフローチャートである。
【図３】図１のプレセット成形材製造手順の第二実施例のフローチャートである。
【発明を実施するための形態】
【０００６】
図１に示すのは、本発明の環境にやさしい成形材の製造方法のフローチャートである。
【０００７】
本発明の環境にやさしい成形材の製造方法の手順は、手順ＳＡ１：  籾殻を主原料として取得し、原料桶へ投入する工程と、手順ＳＡ２：  原料桶に入っている籾殻を高温で殺菌し、異物の除去を行い、乾燥させて乾燥済み籾殻にする工程と、手順ＳＡ３：  乾燥済み籾殻を、適当な粉末状の籾殻粉末に粉砕する工程と、手順ＳＡ４：  籾殻粉末に、適当な割合で配合した、ＰＰ粒子とカップリング剤と発泡剤と加えて混合桶に投入したあと、常温で約１５〜約３０分間均一に攪拌し、十分に混合して混合粉末にする工程と、手順ＳＡ５：  混合粉末を取り出し、押出機の原料桶に入れ、押出機で、プレセット直径（例えば５ｍｍ）を有する、連続したストリップ状または板状の半製品にして、適当な長さに切断して切断済み半製品にする工程と、  手順ＳＡ６：  切断済み半製品の圧延を行い、圧延半製品にする工程と、手順ＳＡ７：  圧延半製品を、プレセット成形材に製造する工程と、手順ＳＡ８：  プレセット成形材の掃除を行い、加工後の残りを除去する工程と、手順ＳＡ９：  掃除及び整理済みのプレセット成形材の包装を行う工程と、を含む。
【０００８】
手順ＳＡ４でいう適当な割合は、籾殻粉末は３３％、ＰＰ粒子は６５％、カップリング剤は１％、及び発泡剤は１％の割合であるが、それに限らない。即ち、成形材が異なった場合、それらの割合も変わるものである。  
【０００９】
図２に示すのは、図１プレセット成形材製造手順の第一実施例のフローチャートである。  
【００１０】
本発明の環境にやさしい成形材の製造方法において、上述した手順ＳＡ７（圧延半製品をプレセット成形材に製造すること）の第一実施例の手順は、手順ＳＢ１：  圧延半製品の急速冷却を行い、手順ＳＢ２：  急速冷却済み該圧延半製品の熱圧加工及び切断を行い、手順ＳＢ３：  熱圧加工、切断済み該圧延半製品の成形を行い、プレセット成形材にすることを含む。
【００１１】
手順ＳＢ３の成形は、製造された圧延半製品及びプレセット成形材により行われる。例えば、圧延半製品は薄シートで、プレセット成形材は、食器のお皿、茶碗、コップなど、中に物を盛るための入れ物にする場合、真空成形で行われるが、それに限らず、その他、例えば、研磨成形または押出成形などでもよい。
【００１２】
図３に示すのは、図１プレセット成形材製造手順の第二実施例のフローチャートである。  
【００１３】
本発明の環境にやさしい成形材の製造方法において、上述した手順ＳＡ７（圧延半製品をプレセット成形材に製造すること）の第二実施例の手順は、手順ＳＣ１：  圧延半製品の成形を行い、プレセット形状をしている圧延半製品にし、手順ＳＣ２：  成形済みプレセット形状の圧延半製品の冷却を行い、手順ＳＣ３：  急速冷却済みプレセット形状をしている圧延半製品の熱圧加工及び切断を行い、プレセット成形材にすること、を含む。
【００１４】
上述した手順ＳＣ１の成形は、製造された圧延半製品及びプレセット成形材により行われる。例えば、圧延半製品は薄シートで、プレセット成形材は、食器のお皿、茶碗、コップなど、中に物を盛るための入れ物にする場合、真空成形で行われるが、それに限らず、その他、例えば、研磨成形または押出成形などでもよい。  
【００１５】
プレセット成形材は、籾殻とｐｐ粒子とで作られたものであり、籾殻は農作物五穀の廃棄物であり、ｐｐ材は分解されやすく、使い捨て日用品として作られる。例えば、食器（例、使い捨て茶碗、割り箸、使い捨てスプーンなど）、日用品（例、デスクマットなど）及び薄肉シート、厚肉シート、板材、ストリップ状材、柱状材などでもよく、使用後、回収して再利用することが可能である。それに加えて、毒性がなく、分解されやすく、環境にやさしいものである。主原料はトウモロコシの芯、稲わら、又は麦わら (麦籾殻)でもよい。
【００１６】
上述した&#20839;容は、本発明の環境にやさしい成形材の製造方法について述てきたが、上述したのは、本発明の各実施例に関して述べられたとき、本発明の他の実施例または更なる実施例は、その基本範囲に違反することなく設けられる。その基本範囲は、特許請求範囲で決められるものとする。本発明は、好適な実施例で説明してきたが、これらを以て本発明を制限してはならず、そして当該分野の技術者が本発明のコンセプトに基づき、それに類似したほかの実施例を行っても、それらは全て本発明の保護範囲に含まれるものとする。  
【符号の説明】
【００１７】
ＳＡ１、ＳＡ２、ＳＡ３、ＳＡ４、ＳＡ５、ＳＡ６、ＳＡ７、ＳＡ８１、ＳＡ９  本発明に係る環境にやさしい成形材の製造方法の手順
ＳＢ１、ＳＢ２、ＳＢ３  プレセット成形材製造手順の第一実施例の手順
ＳＣ１、ＳＣ２、ＳＣ３  プレセット成形材製造手順の第二実施例の手順
【図１】
2015016646.tif 000003
【図２】
2015016646.tif 000004
【図３】
2015016646.tif 000005